(57)【要約】【課題】構造が簡単で、殺菌効果の高い殺菌水を供給可能な循環式浴槽を提供する。【解決手段】浴水を循環させる循環経路６を有する循環式浴槽において、浴槽２から浴水が排出されたことを検出する水位検出センサー７と、このセンサー７の検出情報で駆動されて、循環経路６内に殺菌水を供給する殺菌水供給装置１１とを備え、この殺菌水供給装置１１は、水をアルカリ水と酸性水とに電気分解して、アルカリ水と酸性水のいずれか一方の電解水を殺菌水とするものである。水位検出センサー７で浴槽２から浴水が排出されたことが検出された後に、殺菌水供給装置１１から循環経路６内に殺菌水を供給することで、循環経路６を有効に殺菌できるようになる。【選択図】図１
2008237261.tif 000002
【特許請求の範囲】
【請求項１】
浴水を循環させる循環経路を有する循環式浴槽において、
前記浴槽から浴水が排出されたことを検出する水位検出センサーと、このセンサーの検出情報で駆動されて、前記循環経路内に殺菌水を供給する殺菌水供給装置とを備え、この殺菌水供給装置は、水をアルカリ水と酸性水とに電気分解して、アルカリ水と酸性水のいずれか一方の電解水を殺菌水とするものであることを特徴とする循環式浴槽。
【請求項２】
前記水は、前記浴槽から取水した浴水の一部であることを特徴とする請求項１に記載の循環式浴槽。
【請求項３】
前記電解水の他方は、前記殺菌水供給装置からドレンを介して下水に排水されることを特徴とする請求項１または２に記載の循環式浴槽。
【発明の詳細な説明】
【技術分野】
【０００１】
本発明は、循環式浴槽に関する。
【背景技術】
【０００２】
従来、浴水を循環させる循環経路を有する循環式浴槽において、浴槽内に電気分解した殺菌水を供給するものがある（特許文献１参照）。
【特許文献１】特開平９−２９２４６号公報
【発明の開示】
【発明が解決しようとする課題】
【０００３】
しかしながら、背景技術では、電解槽、光触媒槽、微生物濾過槽等を必要とするから、構造が複雑であるという問題があった。
【０００４】
また、殺菌水を浴水として使用するものであるから、強アルカリ水や強酸性水のような殺菌効果の高い殺菌水を浴槽に供給できないという問題があった。
【０００５】
本発明は、前記問題を解消するためになされたもので、構造が簡単で、殺菌効果の高い殺菌水を供給可能な循環式浴槽を提供することを目的とするものである。
【課題を解決するための手段】
【０００６】
前記課題を解決するために、本発明は、浴水を循環させる循環経路を有する循環式浴槽において、前記浴槽から浴水が排出されたことを検出する水位検出センサーと、このセンサーの検出情報で駆動されて、前記循環経路内に殺菌水を供給する殺菌水供給装置とを備え、この殺菌水供給装置は、水をアルカリ水と酸性水とに電気分解して、アルカリ水と酸性水のいずれか一方の電解水を殺菌水とするものであることを特徴とする循環式浴槽を提供するものである。
【０００７】
請求項２のように、前記水は、前記浴槽から取水した浴水の一部であることが好ましい。
【０００８】
請求項３のように、前記電解水の他方は、前記殺菌水供給装置からドレンを介して下水に排水されることが好ましい。
【発明の効果】
【０００９】
本発明によれば、水位検出センサーで浴槽から浴水が排出されたことが検出された後に、殺菌水供給装置から循環経路内に殺菌水を供給するようにしたから、殺菌水を浴水として使用するものでないので、強アルカリ水や強酸性水のような殺菌効果の高い殺菌水を循環経路に供給することができる。
【００１０】
また、殺菌水供給装置は、水をアルカリ水と酸性水とに電気分解して、いずれか一方の電解水を殺菌水とするものであるから、家庭用の水道蛇口に取付けられる既存の殺菌水供給装置（例えば、アルカリイオン水を供給する水浄化装置等）をそのまま利用できるので、構造が簡単になる。
【００１１】
請求項２によれば、浴水の一部を利用することで、殺菌水供給装置に水道管等を接続する工事が不要になる。
【００１２】
請求項３によれば、不要になった電解水の他方を浴槽内に排水すること無く、直接的に下水に排水できるようになる。
【発明を実施するための最良の形態】
【００１３】
以下、本発明を実施するための最良の形態について、図面を参照しながら詳細に説明する。
【００１４】
図１は、第１実施形態の循環式浴槽であり、浴室１の内部の床面側には浴槽２が設置されている。この浴槽２のフランジ部２ａは、浴槽２の最大水位ＷＬ１であり、通常は、浴槽２の７〜８分目程度の水位ＷＬ２で使用されるようになる。
【００１５】
浴槽２の側壁２ｂには、吸込口３と吐出口４とが形成されて、浴槽２の外部には、吸込口３から吸い込んだ浴水を吐出口４から吐出させるようにポンプ５で循環させる循環経路６が設けられている。この循環経路６内には、浴槽２から浴水が排出された（つまり、吸込口３よりも下方の水位ＷＬ３になった）ことを検出する水位検出センサー（フロート弁、電極、圧力センサー等）７と殺菌水供給装置１１とが設けられている。
【００１６】
殺菌水供給装置１１は、水をアルカリ水と酸性水とに電気分解して、アルカリ水と酸性水のいずれか一方の電解水を殺菌水とするものであり、家庭用の水道蛇口に取付けられる既存の殺菌水供給装置（例えば、アルカリイオン水を供給する水浄化装置等）をそのまま利用することができる。
【００１７】
そして、殺菌水供給装置１１からは、強アルカリ水や強酸性水のいずれか一方で、洗浄性や殺菌性を有する殺菌水が循環経路６の内部に供給されるようになる。また、不要になった電解水の他方は、殺菌水供給装置１１から排水ドレン１３と排水トラップ１４とを介して下水に排水されるようになる。
【００１８】
浴槽２のフランジ部２ａよりも上方、例えば浴室１の外部である天井１ａの上部には、エアーパージ装置８が設置されている。エアーパージ装置８は、エアー送給経路９を介して循環経路６の吐出口４の付近に接続されている。
【００１９】
そして、エアーパージ装置８からは、高圧エアーがエアー送給経路９を介して循環経路６の内部に供給されるようになる。なお、殺菌水供給装置１１からの殺菌水の供給とエアーパージ装置８からのエアーの供給とは、同時に行われるのではなく、殺菌水の供給が停止された後に、エアーの供給が開始されるように、そのタイミングが制御されるようになる。
【００２０】
エアーパージ装置８は、信号ライン１０で水位検出センサー７に接続されて、このセンサー７の検出情報、つまり浴槽２から浴水が排出されたことが検出されたときに、殺菌水供給装置１１とエアーパージ装置８とが選択的に駆動されるようになっている。なお、エアーパージ装置８は、必ずしも必要ではなく、殺菌水供給装置１１のみであっても良い。
【００２１】
また、殺菌水供給装置１１は、浴槽２から浴水が排出された直後に駆動された後、一定時間経過（例えば半日や数時間）後に再駆動されるように制御されるようになっている。
【００２２】
前記のように構成すれば、浴槽２から浴水が排出されたことが水位検出センサー７で検出されると、先ず、殺菌水供給装置１１が駆動されて、強アルカリ水や強酸性水等のように、洗浄性や殺菌性を有する殺菌水が殺菌水兼エアー送給経路９を介して循環経路６の内部に供給され、この殺菌水は、循環経路６の内部を通って吐出口４および吸込口３から浴槽２内に排出されるようになる。
【００２３】
この場合、浴槽２から浴水が排出された（つまり、吸込口３よりも下方の水位ＷＬ３になった）ことが水位検出センサー７で検出される前、例えば、吐出口４と吸込口３と間の水位ＷＬ４程度になったことが水位検出センサー７で検出された時に、殺菌水供給装置１１を駆動させると、浴槽２から取水した浴水の一部を利用することで電解水が得られるので、殺菌水供給装置１１に水道管等を接続する工事が不要になる。なお、浴槽２が水位ＷＬ３になった後に、殺菌水供給装置１１を駆動させる場合には、循環経路６に浴水貯留タンクを設けて、この浴水貯留タンクから殺菌水供給装置１１に浴水を供給することで、浴槽２から取水した浴水の一部を利用することもできる。
【００２４】
このように、水位検出センサー７で浴槽２から浴水が排出されたことが検出された後に、殺菌水供給装置１１から循環経路６内に殺菌水を供給することで、殺菌水を浴水として使用するものでないために、強アルカリ水や強酸性水のような殺菌効果の高い殺菌水を循環経路６に供給することで、循環経路６を有効に殺菌できるようになる。
【００２５】
また、殺菌水供給装置１１は、水をアルカリ水と酸性水とに電気分解して、いずれか一方の電解水を殺菌水とするものであるから、家庭用の水道蛇口に取付けられる既存の殺菌水供給装置（例えば、アルカリイオン水を供給する水浄化装置等）をそのまま利用できるので、構造が簡単になる。
【００２６】
さらに、電解水の他方は、殺菌水供給装置１１から排水ドレン１３等を介して下水に排水するから、不要になった電解水の他方を浴槽２内に排水すること無く、直接的に下水に排水できるようになる。
【００２７】
また、殺菌水供給装置１１は、浴槽２から浴水が排出された直後に駆動された後、一定時間経過（例えば半日や数時間）後に再駆動されるので、浴槽２から浴水が排出された後、一定時間が経過することで、循環経路６内に、殺菌された後に残水等で薄まった水が溜まっていたとしても、再び殺菌水を供給することで、循環経路６をより完全に殺菌できるようになる。
【００２８】
この場合、殺菌水供給装置１１からは、浴槽２から浴水が排出された直後の駆動時に、例えば強アルカリ水を供給し、一定時間が経過した後の再駆動時に、例えば強酸性水を供給するようにすれば、殺菌や洗浄の効果がさらに向上するようになる。
【００２９】
一方、殺菌水供給装置１１により循環経路６を殺菌した後、必要に応じてエアーパージ装置８を駆動すると、エアー送給経路９から循環経路６の吐出口４の付近に高圧エアーが送給され、この高圧エアーは、吐出口４から浴槽２内に噴出するようになる。
【００３０】
高圧エアーが吐出口４から噴出されることで、循環経路６の内部が負圧になるから、吸込口３から浴槽２内のエアーが循環経路６の内部に吸い込まれて、吐出口４からエアーパージ装置８からの高圧エアーとともに浴槽２内に噴出されるようになる。
【００３１】
このように、エアーパージ装置８によって、循環経路６の内部に高圧エアーが送給されることで、循環経路６の内部の残水（殺菌水も含む。以下同様。）がエアー圧で吐出口４から浴槽２内に排出されるとともに、循環経路６の内部がエアー風で乾燥されるようになる。
【００３２】
この結果、循環経路６の内部に残水が無くなるとともに、乾燥もされるので、水垢等が付着しにくくなって、衛生的になる。
【００３３】
さらに、水位検出センサー７で浴槽２から浴水が排出されたことが検出された後に、殺菌水供給装置１１とエアーパージ装置８とを自動的に駆動できるので、スイッチ等を操作する手間等が不要になる。
【００３４】
図２は、第２実施形態の循環式浴槽であり、第１実施形態の循環式浴槽と相違するのは、循環経路６に微細気泡発生装置１２が備えられている点である。
【００３５】
図３に示すように、浴槽２の吸込口３は、接続管１９を介して空気吸引部（エゼクタ−）２０の入口に接続され、この空気吸引部２０の出口は、接続管２１を介してポンプ５に接続されている。空気吸引部２０の側部には、酸素富化装置１７の接続管１８が接続されている。
【００３６】
ポンプ５は、接続管２３を介して気液溶解タンク２４の上部に設けられた噴霧ノズル２５に接続されていて、この気液溶解タンク２４には、空気抜き弁２６が設けられている。
【００３７】
気液溶解タンク２４の下部は、接続管２７を介して吐出口４に接続され、この吐出口４には、減圧弁である微細気泡発生ノズル２８が設置されている。
【００３８】
そして、スイッチ操作でポンプ５を駆動すれば、吸込口３から接続管１９，２１を介して浴槽２内の浴水がポンプ５に吸水されるとともに、その途中で、空気吸引部（エゼクタ−）２０の負圧作用により、接続管１８を介して酸素富化装置１７から取入れられた高酸素濃度の空気が浴水に混入されるようになる。
【００３９】
この空気が混入された浴水は、ポンプ５から接続管２３を介して噴霧ノズル２５から気液溶解タンク２４内に噴出されることでバブリング状態となる。この気液溶解タンク２４内の余剰空気は、空気抜き弁２６からタンク外部に排出される。
【００４０】
この気液溶解タンク２４内の浴水は、接続管２７を介して微細気泡発生ノズル２８で白濁の濃い微細気泡を含む浴水に変換されながら、吐出口４から浴槽２内に吐出されるようになる。
【００４１】
このような浴水の循環を繰り返すことで浴槽２内は、微細気泡の浴水で満たされるようになる。
【００４２】
そして、エアーパージ装置８のエアー送給経路９は、浴槽２から吸引した浴水に空気を混入する空気吸引部（エゼクター）２０に接続している。
【００４３】
このように、微細気泡発生装置１２を備えた循環経路６の空気吸引部（エゼクター）２０にエアー送給経路９を接続すれば、空気吸引部２０以外は、経路口径が比較的太くて残水が少ないのに対して、空気吸引部２０は、経路口径が比較的細くて残水が多いことから、エアーパージ装置８からエアーで空気吸引部２０の残水を集中的に排出して乾燥させることができる。
【図面の簡単な説明】
【００４４】
【図１】本発明の第１実施形態に係る循環式浴槽のシステム図である。
【図２】本発明の第２実施形態に係る循環式浴槽のシステム図である。
【図３】微細気泡発生蔵置のシステム図である。
【符号の説明】
【００４５】
１    浴室
１ａ  天井
２    浴槽
２ａ  フランジ部
３    吸込口
４    吐出口
５    ポンプ
６    循環経路
７    水位検出センサー
８    エアーパージ装置
９    エアー送給経路
１１  殺菌水供給装置
１２  微細気泡発生装置
１３  排水トラップ
２０  空気吸引部
【図１】
2008237261.tif 000003
【図２】
2008237261.tif 000004
【図３】
2008237261.tif 000005